(57)【要約】【課題】  装着位置からのずり下がりを防止する。衣類の袖の先端部分の水濡れを確実に防止する。【解決手段】  固定部１と覆部２とによって筒形に形成されている。固定部１は、上腕ＵＡの肘Ｅ寄りに嵌合されて弾性によって装着される。覆部２は、上腕ＵＡの肘Ｅ寄りに装着された固定部１から上腕ＵＡの肩方向に延びて内部に上腕ＵＡへたくし上げられた衣類の袖Ｓの先端部分Ｓｂの少なくとも一部を収容するものである。【選択図】        図１
0003161213.tif 000002
【実用新案登録請求の範囲】
【請求項１】
固定部と覆部とによって筒形に形成され、固定部は上腕の肘寄りに嵌合されて弾性によって装着され、覆部は上腕の肘寄りに装着された固定部から上腕の肩方向に延びて内部に上腕へたくし上げられた衣類の袖の先端部分の少なくとも一部を収容するものである袖カバー具。
【請求項２】
請求項１の袖カバー具において、固定部は軸方向に環状の複数本のひも状のゴム材が間隔を介して設けられていることを特徴とする袖カバー具。
【請求項３】
請求項１または２の袖カバー具において、覆部は固定部と反対側の端部付近に小さなスリットが設けられていることを特徴とする袖カバー具。
【考案の詳細な説明】
【技術分野】
【０００１】
本考案は、衣類の袖の先端部分の水濡れを防止するための袖カバー具に係る技術分野に属する。
【背景技術】
【０００２】
衣類の袖の先端部分の水濡れを防止するための袖カバー具としては、防水性を有する固定部と覆部とによって筒形に形成されたものがある。固定部は、下腕の手首寄りに嵌合されて弾性によって装着される。覆部は、下腕の手首寄りに装着された固定部から下腕の肘方向に延びて内部に衣類の袖の先端部分（肘付近までの袖の半部）を収容する。
【０００３】
この袖カバー具は、衣類の袖の先端部分を防水性を有する覆部で覆うことで水濡れを防止するものである。然しながら、衣類の袖の先端部分が覆部の重なりで窮屈になってしまい、水仕事や化粧等の作業をやりずらくするという不具合がある。また、固定部が弾性によって装着されているものの、水仕事や化粧等の作業中に手首からつたわった水が小量ではあるが固定部から覆部の内部に浸入してしまうという不具合がある。このため、この袖カバー具があまり普及せず、衣類の先端部分を上腕にまでたくし上げる腕まくりによって水濡れを防止しているのが実状である。ただし、腕まくりの状態が緩みやすいため、水仕事や化粧等の作業中に衣類の先端部分を水濡れさせてしまうこともしばしば起こっている。そこで、衣類の袖の先端部分の水濡れを確実に防止することのできる袖カバー具の開発が要望されるようになってきている。
【０００４】
従来、衣類の袖の先端部分の水濡れを確実に防止することを指向した袖カバー具としては、例えば、特許文献１に記載のものが知られている。
【０００５】
特許文献１には、固定部と覆部とによって筒形に形成され、固定部は下腕の肘寄りに嵌合されて弾性によって装着され、覆部は下腕の肘寄りに装着された固定部から上腕方向に延びて内部に上腕へたくし上げられた衣類の袖の先端部分を収容するものである袖カバー具が記載されている。
【０００６】
特許文献１に係る袖カバー具は、前述の腕まくりの状態を固定部，覆部による固定によって保持することで、衣類の袖の先端部分の水濡れを確実に防止するものである。
【先行技術文献】
【特許文献】
【０００７】
【特許文献１】実用新案登録第３０９４４０９号公報
【考案の概要】
【考案が解決しようとする課題】
【０００８】
特許文献１に係る袖カバー具では、固定部が下方にずり下がり抵抗のない下腕の肘寄りに装着されているため、固定部が水仕事や化粧等の作業中に下腕に沿って手首方向にずり下がってしまい、前述の腕まくりの状態を確実に保持することができなくなるという問題点がある。また、水仕事や化粧等の作業中に手首からつたわった水が上腕，下半部を屈曲させている肘までつたわるため、固定部から覆部の内部に浸入してしまうという前述の不具合を確実に解消することができないという問題点がある。
【０００９】
本考案は、このような問題点を考慮してなされたもので、装着位置からのずり下がりが防止され衣類の袖の先端部分の水濡れが確実に防止される袖バー具を提供することを課題とする。
【課題を解決するための手段】
【００１０】
前述の課題を解決するため、本考案に係る袖カバー具は、実用新案登録請求の範囲の各請求項に記載の手段を採用する。
【００１１】
即ち、請求項１では、固定部と覆部とによって筒形に形成され、固定部は上腕の肘寄りに嵌合されて弾性によって装着され、覆部は上腕の肘寄りに装着された固定部から上腕の肩方向に延びて内部に上腕へたくし上げられた衣類の袖の先端部分の少なくとも一部を収容するものである。
【００１２】
この手段では、固定部が上腕の肘寄りに装着されることで、下方に固定部のずり下がり抵抗となる肘が存在することになるとともに、水のつたわりが途切れる肘よりも上方に固定部が装着され固定部から覆部の内部への水の浸入が防止される。
【００１３】
また、請求項２では、請求項１の袖カバー具において、固定部は軸方向に環状の複数本のひも状のゴム材が間隔を介して設けられていることを特徴とする。
【００１４】
この手段では、固定部の軸方向に環状の複数本のひも状のゴム材が間隔を介して設けられることで、少なくとも１本のゴム材が主に固定部の上腕の肘寄りへの装着を実現し、少なくとも他の１本のゴム材が主に上腕へたくし上げられた衣類の袖の先端部分を下支えする。
【００１５】
また、請求項３では、請求項１または２の袖カバー具において、覆部は固定部と反対側の端部付近に小さなスリットが設けられていることを特徴とする。
【００１６】
この手段では、覆部に小さなスリットが設けられることで、スリットを利用して不使用時にフック掛け収納を行うことができる。
【考案の効果】
【００１７】
本考案に係る袖カバー具は、固定部が上腕の肘寄りに装着されることで、下方に固定部のずり下がり抵抗となる肘が存在することになるため、装着位置からのずり下がりが防止される効果がある。また、固定部が上腕の肘寄りに装着されることで、水のつたわりが途切れる肘よりも上方に固定部が装着され固定部から覆部の内部への水の浸入が防止されるため、衣類の袖の先端部分の水濡れが確実に防止される効果がある。
【００１８】
さらに、請求項２として、定部の軸方向に環状の複数本のひも状のゴム材が間隔を介して設けられることで、少なくとも１本のゴム材が主に固定部の上腕の肘寄りへの装着を実現し、少なくとも他の１本のゴム材が主に上腕へたくし上げられた衣類の袖の先端部分を下支えするため、前述の腕まくりの状態の保持が有効に実現される効果がある。
【００１９】
さらに、請求項３として、覆部に小さなスリットが設けられることで、スリットを利用して不使用時にフック掛け収納を行うことができるため、収容性が良好になる効果がある。
【図面の簡単な説明】
【００２０】
【図１】本考案に係る袖カバー具を実施するための形態の使用状態の斜視図（一部拡大断面図を含む）である。
【図２】図１の要部の拡大部分断面図である。
【図３】図１の非装着状態における拡大断面図である。
【図４】図３の部分拡大断面図である。
【図５】図１の製造例の平面図である。
【考案を実施するための形態】
【００２１】
以下、本考案に係る袖カバー具を実施するための形態を図面に基づいて説明する。
【００２２】
この形態では、衣類が比較的薄いシャツ等である場合の使用に好適なものを示してある。
【００２３】
この形態は、図１に示すように、固定部１，覆部２，スリット３で構成されている。
【００２４】
固定部１，覆部２は、図５に示すように、１枚の薄い布材（好ましくは防水性を有するもの）１００から、左端縁を細幅に折返し右端縁を広幅に折返し、折返しで残っている中央片１００ｃと左折返片１００ａとを右折返片１００ｂの上に折返し、重なった左折返片１００ａ，右折返片１００ｂ，中央片１００ｃを先の折返線と直交する線に沿って２つ折りに折返して一体的に形成される。従って、２つ折りで重ねられた上下端縁を袋状に逢着することで、固定部１，覆部２が筒形に形成されることになる。なお、図３から明らかなように、左折返片１００ａ，右折返片１００ｂ，中央片１００ｃが筒形の固定部１，覆部２の外側に凹凸部，段差が位置されることがないように折返されている。また、固定部１，覆部２の筒形の径については、下腕ＬＡ，肘Ｅ，上腕ＵＡを余裕をもって通過できる大きさに設定されている。
【００２５】
固定部１は、図３に示すように、布材１００の左折返片１００ａ，右折返片１００ｂ，中央片１００ｃの積層部分が相当し、内部に間隔Ｄを介して２つのゴム材収容室１１，１２が糸１３による縫着で環状に区画形成され、ゴム材収容室１１，１２に紐状のゴム材１４，１５がそれぞれ収納されている。ゴム材１４，１５は、下腕ＬＡ，肘Ｅを通過した固定部１が上腕ＵＡの肘Ｅ寄りに嵌合されて弾性で装着されるように、固定部１の径を縮減して絞込むように長さが調整されている。なお、ゴム材収容室１１，１２は、布材１００の３層，４層の折返しによって形成されているため、ゴム材１４，１５の弾性に抗して充分な耐久性を発揮する。
【００２６】
覆部２は、図３，図４に示すように、布材１００の右折返片１００ｂの左折返片１００ａ，中央片１００ｃに積層されない部分が相当し、折返された右折返片１００ｂの折返線沿いに糸２１で縁縫いして２層の布材１００が一体化された覆部本体２２が形成されている。覆部本体２２は、固定部１が上腕ＵＡの肘Ｅ寄りに装着された際に、上腕ＵＡの１／３程度の長さで肩方向に延びるように形成され、衣類の袖Ｓの上腕ＵＡが挿通される後端部分Ｓａと下腕ＬＡが挿通されるものであって上腕ＵＡにたくし上げられた状態の先端部分Ｓｂとを収容することが可能な径の大きさに形成されている。
【００２７】
スリット３は、図４に示すように、覆部２の覆部本体２２の固定部１と反対側の端部付近に周方向の短い切断線で切断されたスリット本体３１の周囲端縁を糸３２でかがり縫いしたボタン孔の格好で形成されている。
【００２８】
この形態を使用するには、衣類の袖Ｓの先端部分Ｓｂを上腕ＵＡにたくし上げた腕まくり状態としてから、一方の手で覆部２を掴んで他方の手を覆部２，固定部１の順に挿入して、覆部２，固定部１を下椀ＬＡ，肘Ｅを通過させて上腕ＵＡにまで引上げる。
【００２９】
このとき、固定部１のゴム材１４，１５が間隔Ｄを介して離れているため、ゴム材１４，１５をそれぞれ別個に伸張させて相対的に大きな肘Ｅを順次通過させることができる。従って、ゴム材１４，１５が１本の幅広の形状に形成されている場合よりも、肘Ｅへの通過が容易となる。
【００３０】
上腕ＵＡへの覆部２，固定部１の引上げは、固定部１が上腕ＵＡの肘Ｅ寄りに至って停止される。即ち、固定部１が上腕ＵＡの肘Ｅ寄り嵌合され弾性によって装着されることになる。
【００３１】
この後、覆部２のめくれを直すこと等で筒形に整形することによって、衣類の袖Ｓの上腕ＵＡにたくし上げられている先端部分Ｓｂの少なくとも一部を覆部２の内部に収容する（先端部分Ｓｂの一部が肘Ｅよりも下方に垂れ下がらない状態とする）。
【００３２】
上腕ＵＡの肘Ｅ寄り装着された固定部１は、図２に示すように、ゴム材１４，１５の弾性による締付力ａで装着位置に強固に保持される。また、固定部１の装着位置の下方に相対的にずり下がり抵抗となる大きな肘Ｅが存在するため、装着位置から固定部１がずり下がることがない。
【００３３】
また、固定部１のゴム材１４，１５の弾性は、垂れ下がろうとする袖Ｓの上腕ＵＡにたくし上げられている先端部分Ｓｂに対する抵抗力ｂとして機能する。また、覆部２の２層の布材１００が一体化された覆部本体２２は、袖Ｓの上腕ＵＡにたくし上げられている先端部分Ｓｂの変形，はみ出しを防止する保形力ｃとして機能する。従って、袖Ｓの先端部分Ｓｂが上腕ＵＡにたくし上げられている腕まくり状態が確実に保持される。
【００３４】
前述の締付力ａ，抵抗力ｂについては、配置の関係から、固定部１の下側のゴム材１４が主に締付力ａを発揮し、固定部１の上側のゴム材１４が主に抵抗力ｂを発揮するように機能が分担される。従って、締付力ａ，抵抗力ｂの双方が確実に奏される。
【００３５】
この形態を使用すると、水仕事や化粧等の作業中に手首Ｗからつたわった水が肘Ｅから滴下することになって、通常の腕まくりと同様の状態を得ることができる。従って、袖Ｓの先端部分Ｓｂの水濡れが防止される。そして、この腕まくり状態については、前述の固定部１の機能から確実に保持される。また、肘Ｅよりも上方に固定部１が装着されて、固定部１から覆部２の内部への水の浸入が防止されるため、袖Ｓの先端部分Ｓｂの水濡れが確実に防止される。なお、覆部２は、水仕事や化粧等の作業にともなう水の飛沫による袖Ｓの先端部分Ｓｂの水濡れを防止する機能をも奏する。
【００３６】
なお、この形態を使用しないときには、スリット３をフック等に掛けて収納することができる。
【００３７】
以上、図示した形態の外に、衣類が比較的厚い作業着等の場合に布材１００を厚いものとすることも可能である。
【００３８】
さらに、固定部１のゴム材１４，１５を３本以上とすることも可能である。
【００３９】
さらに、覆部２を小さく形成して、袖Ｓの上腕ＵＡにたくし上げられている先端部分Ｓｂを掛止めするようにすることも可能である。
【産業上の利用可能性】
【００４０】
本考案に係る袖カバー具は、作業着等に使用し、オイル，薬品等による汚染を防止する具としても使用が可能である。
【符号の説明】
【００４１】
１            固定部 
１４，１５    ゴム材 
２            覆部 
３            スリット 
Ｅ            肘 
Ｓ            袖 
Ｓｂ          先端部分 
ＵＡ          上腕 
【図１】
0003161213.tif 000003
【図２】
0003161213.tif 000004
【図３】
0003161213.tif 000005
【図４】
0003161213.tif 000006
【図５】
0003161213.tif 000007